(57)【要約】  【課題】  扉をスライドさせる際のガタつきがなく、容易且つ円滑に開閉動作を行うことができる着脱式跳ね上げ収納扉機構を提供する。  【解決手段】  上棚板２４ａの下面の両側部にそれぞれ開口部を内側にして着脱自在に取り付けられる側面に長孔状のガイドスリット１１を備えた断面コの字型のレール１０と、周面に溝を有し、該溝によって上記ガイドスリット１１の周縁部と係合して該ガイドスリット１１内を走行する一対のローラ１３を上端両側面に備えた扉板１２によって扉機構を構成する。更に、レール１０の前端部には、レール１０の内側面と扉板１２の側面の間の隙間を塞いで扉板１２のブレを防止する横ブレ防止部材１５と、扉板１２の下面を支持する扉板支持部材１６を設ける。【選択図】  図１
0003115333.tif 000002
【実用新案登録請求の範囲】
【請求項１】
平行に立設された2枚の側面板の間に掛け渡された上下2枚の棚板の間の空間の前面を開閉する着脱式跳ね上げ収納扉機構において、
a)  少なくとも垂下辺とその下縁から略垂直に延設された底辺とを有し、上棚板の下面の両側部にそれぞれ該底辺の延出方向を内側にして着脱自在に取り付けられる一対のレールと、
b)  該レールの垂下辺に設けられた長孔状のガイドスリットと、
c)  周面に溝を有し、該溝によって上記ガイドスリットの周縁部と係合して該ガイドスリット内を走行する一対のローラを上端両側部に備えた扉板と、
d)  上記各レールの垂下辺前端部の内面に設けられた横ブレ防止部材と、
e)  上記各レールの底辺前端部の上面に設けられた扉板支持部材と、
を有することを特徴とする着脱式跳ね上げ収納扉機構。
【請求項２】
更に、前記扉板の前面下部に設けられ、扉閉鎖時に下棚板の前面と当接する把手を有することを特徴とする請求項１に記載の着脱式跳ね上げ収納扉機構。
【請求項３】
更に、上記ガイドスリットの後端上縁に切欠を設けることで形成された上記ローラの出入が可能なローラ取り付け部と、該ガイドスリットの後端に着脱可能な弾性体から成るローラ外れ防止部材とを有することを特徴とする請求項１又は２に記載の着脱式跳ね上げ収納扉機構。
【請求項４】
上記ガイドスリットの前端をやや下方に傾斜させると共に、該ガイドスリットの後端の下縁に切欠状のローラ受け部を設けたことを特徴とする請求項１〜３のいずれかに記載の着脱式跳ね上げ収納扉機構。
【請求項５】
上記把手が開口部を上にして取り付けられた断面コの字型のものであり、更に扉の前面に両端部が扉板に固定された弾性材から成るバンド又は非弾性材から成るバーを設けたことを特徴とする請求項１〜４のいずれかに記載の着脱式跳ね上げ収納扉機構。
【請求項６】
請求項１〜５に記載の着脱式跳ね上げ収納扉機構を備えた棚であって、2枚の側面板及び上下2枚の棚板によって囲まれた空間を複数有し、該複数の空間の少なくとも2つ以上に上記着脱式跳ね上げ収納扉機構が設けられると共に、それらの扉機構の内少なくとも1つの扉板の色が他の扉板の色と異なっていることを特徴とする棚。
【考案の詳細な説明】
【技術分野】
【０００１】
本考案は、収納棚、展示棚等の前面を開閉するための扉機構に関し、特に扉板を棚の内部に収納することのできる着脱式跳ね上げ収納扉機構に関する。
【背景技術】
【０００２】
従来、家庭やオフィス等で本や書類、雑貨等を収納又は展示するために用いられる棚において、収納可能な跳ね上げ扉を備えたものが知られている。このような跳ね上げ式収納扉機構として、例えば、左右上端に一対のローラを備えた扉板と、上棚板下面の左右両側に開口部を内側にして取り付けられた断面コの字型のレールとを有し、該ローラが該レールの下側の辺の上を走行できるようにしたものが知られている。このような跳ね上げ式収納扉機構においては、扉板の前面に設けられた把手を把持して扉板を上方に回動させることによって扉を開き、更に、扉板を水平状態まで持ち上げた上で後方に押し込むことにより、扉板を棚の内部にスライド収納させることができる。
【考案の開示】
【考案が解決しようとする課題】
【０００３】
しかし、上記従来のような跳ね上げ式収納扉を備えた棚においては、扉板をスライドさせて棚から出し入れする際に、扉板が左右にガタつきやすく、把手の中央を把持して真っ直ぐに力を加えないとスムーズに扉を出し入れできないという問題があった。
【０００４】
また、従来、扉が閉じられた状態において振動等によって扉板が前後に揺動するのを防止するため、棚の内部にマグネットを配設し、扉板又は扉板に取り付けられた磁性金属片を吸着することで扉板をロックできるようにしたものが知られている。しかし、このような場合、棚から物を出し入れする際に該マグネットが邪魔になり、使い勝手が悪くなるという問題があった。
【０００５】
本考案はこのような課題を解決するために成されたものであり、その目的とするところは、扉をスライドさせる際のガタつきがなく、円滑且つ容易に開閉動作を行うことができる着脱式跳ね上げ収納扉機構を提供すること、及び棚の内部にマグネット等の係止手段を設けることなく扉閉鎖状態における扉板の揺動を防止することのできる着脱式跳ね上げ収納扉機構を提供することである。
【課題を解決するための手段】
【０００６】
上記課題を解決するために成された本考案に係る着脱式跳ね上げ収納扉機構は、平行に立設された2枚の側面板の間に掛け渡された上下2枚の棚板の間の空間の前面を開閉する着脱式跳ね上げ収納扉機構において、a)  少なくとも垂下辺とその下縁から略垂直に延設された底辺とを有し、上棚板の下面の両側部にそれぞれ該底辺の延出方向を内側にして着脱自在に取り付けられる一対のレールと、b)  該レールの垂下辺に設けられた長孔状のガイドスリットと、c)  周面に溝を有し、該溝によって上記ガイドスリットの周縁部と係合して該ガイドスリット内を走行する一対のローラを上端両側部に備えた扉板と、d)  上記各レールの垂下辺前端部の内面に設けられた横ブレ防止部材と、e)  上記各レールの底辺前端部の上面に設けられた扉板支持部材とを有することを特徴とする。
【０００７】
なお、本考案においては、特に明記しない限り、扉機構を棚に取り付け、扉を閉鎖した状態で正面から見た場合を基準として、上下、前後、及び左右を定義している。
【０００８】
上記着脱式跳ね上げ収納扉機構は、更に、前記扉板の前面下部に、扉閉鎖時に下棚板の前面と当接する把手を有するものとすることが望ましい。
【０００９】
また、本考案に係る着脱式跳ね上げ収納扉機構は、更に、上記ガイドスリットの後端上縁に切欠を設けることで形成された上記ローラの出入が可能なローラ取り付け部と、該ガイドスリットの後端に着脱可能な弾性体から成るローラ外れ防止部材とを有するものとすることが望ましい。
【００１０】
また、本考案に係る着脱式跳ね上げ収納扉機構は、上記ガイドスリットの前端をやや下方に傾斜させると共に、該ガイドスリットの後端の下縁に切欠状のローラ受け部を設けたものとすることもできる。
【００１１】
本考案の別の態様に係る棚は、以上のような着脱式跳ね上げ収納扉機構を備えた棚であって、2枚の側面板及び上下2枚の棚板によって囲まれた空間を複数有し、該複数の空間の少なくとも2つ以上に上記着脱式跳ね上げ収納扉機構が設けられると共に、それらの扉機構の内少なくとも1つの扉板の色が他の扉板の色と異なっていることを特徴とする。
【００１２】
なお、本考案の着脱式跳ね上げ収納扉機構及び該扉機構が取り付けられる棚の材質は、典型的にはスチール（鋼）であるが、特に限定されるものではなく、アルミやジュラルミン等の金属材料の他、プラスチック等の非金属材料を用いることもできる。従って、例えば、上記扉板をアクリル板とスチール枠の組み合わせ等によって構成することも可能である。
【考案の効果】
【００１３】
上記構成から成る本考案の着脱式跳ね上げ収納扉機構によれば、ローラの溝とガイドスリットの周縁部が係合することでローラの左右の動きが規制されると共に、レールの前端に設けられた横ブレ防止部材が、レールの内側面と扉板の側面との間に生じる隙間を塞いで扉板の左右の動きを規制する。そのため、扉板を棚から出し入れする際に、把手のどの部分を持ってもガタつくことなくスムーズに引き出すことができる。また、扉板をスライドさせる際に該扉板の下面（扉閉鎖時の後面）に当接するレール上の位置に扉板支持部材を設けたことにより、扉板を水平状態に保つと共に扉板の滑りをよくすることができ、よりスムーズに扉をスライドさせることができる。また、該扉板支持部材には、扉板をスライドさせる際に扉板がレールの底辺や上辺等と当接するのを防止する働きもある（詳細は後述する）。
【００１４】
更に、扉閉鎖時に下棚板の前面に当接するような把手を扉板の前面下部に設けた場合は、扉を閉じる際に扉板が略垂直になったところで該把手がストッパーの役割を果たし、扉の回動を停止させることができる。更に、扉を閉鎖した状態では、把手の重さ等により扉板に後ろ方向（棚の内側方向）のモーメントが作用し、該把手が下棚板の前面に付勢された状態となるため、振動等によって扉板が前後に揺動するのを防止することができる。
【００１５】
また、上記のように、ガイドスリットの後端に設けられたローラ取り付け部と、該ガイドスリットの後端に着脱可能なローラ外れ防止部材とを有するものとした場合、該ローラ取り付け部からガイドスリットにローラを挿入した後、ゴム等の弾性体から成るローラ外れ防止部材をガイドスリット後端に取り付けることで、ガイドスリットに取り付けたローラが使用時等に外れるのを防止できると共に、扉板の収納時にローラとガイドスリットの後端が当接することによる衝撃や音を緩和することができる。
【００１６】
また、ガイドスリットの前端を下方に傾斜させた場合には、扉を引き出した際に、ローラの位置が安定するためスムーズに回動動作を行うことができる。また、ガイドスリットの後端の下縁に切欠状のローラ受け部を設けた場合には、扉板を棚の内部に収納した際に、ローラが該ローラ受け部に落ち込んでロックされるため、不用意に扉が閉まるのを防止することができる。
【００１７】
上記本考案の別の態様に係る棚によれば、2枚の側面板及び上下2枚の棚板によって囲まれた空間を複数有する棚において、各空間の用途等に応じて扉板を色分けすることができ、扉を閉鎖した状態であっても、各空間にどのような物が収容されているかなどを一目で把握することが可能となる。
【考案を実施するための最良の形態】
【００１８】
以下、実施例を用いて本考案を実施するための最良の形態について説明する。
【実施例】
【００１９】
図７に本実施例の着脱式跳ね上げ収納扉機構を備えたスチール棚を示す。このスチール棚は、2枚の側面板２０の間に複数の棚板２４が取り付けられたスチール棚の各段に、本実施例の着脱式跳ね上げ収納扉機構を設けたものである。
【００２０】
図１に本実施例の着脱式跳ね上げ収納扉機構を棚板に取り付けた状態の側面図を示す。また、図２には本実施例の着脱式跳ね上げ収納扉機構を棚板に取り付けた状態におけるローラ周辺部分の拡大正面図を示す。本実施例の着脱式跳ね上げ収納扉機構は、上棚板２４ａの左右下面に取り付けられた一対のレール１０と上端部に一対のローラ１３を備えた扉板１２から成るものであり、該レール１０に設けられた長孔上のガイドスリット１１と該ローラ１３の周面に設けられた溝１３ａとを係合させることで、該レール１０に沿ってローラ１３が走行できるようになっている。
【００２１】
扉板１２は、棚板２４ａ、ｂとほぼ同じ幅Ｗを有し、長さＬは上棚板２４ａの下面と下棚板２４ｂの上面との間隔とほぼ等しくなるようにする。但し、扉板１２の長さは棚板２４ａ、ｂの奥行きＤ以下とすることが望ましい。扉板１２の上端両側面には周面に溝１３ａを有する一対のローラ１３を回動自在に取り付け、下端前面には金属線等を屈曲させて成る把手１４を設ける。なお、把手１４は、図１(b)に示すように扉板１２の下方にやや突出するような形状とし、扉を閉鎖した際に該把手１４が下棚板２４ｂの前面に当接するようにする。
【００２２】
レール１０は、垂下辺１０ｂと該垂下辺１０ｂの上縁及び下縁からそれぞれ延設された該垂下辺１０ｂと略垂直な上辺１０ａ及び底辺１０ｃとから成る断面コの字状のものであり、開口部（即ち、上辺１０ａ及び底辺１０ｃの延出方向）を内側にした状態で上棚板２４ａの下面の左右に取り付けられる。レール１０の上辺１０ａには上棚板２４ａにレール１０をネジ留めするためのネジ穴１９が設けられており、垂下辺１０ｂにはローラ１３を走行可能に保持するための長孔状のガイドスリット１１が設けられている。なお、ガイドスリット１１の後端には、該スリットの上縁に切欠を設けることにより、ローラ１３を出し入れするためのローラ取り付け部１１ａが形成される。
【００２３】
更に、各レール１０の前端には、図３に示すように、横ブレ防止部材１５と扉板支持部材１６が設けられる。横ブレ防止部材１５は、レール１０の垂下辺１０ｂの内面に設けられるものであり、図２(b)に示すように、レール１０の内側面と扉板１２の側面に生じる隙間を塞ぐことで扉板１２の左右の動きを制限する働きがある。また、扉板支持部材１６は、レールの底辺１０ｃの上面に設けられるものであり、角を丸めた円柱状に形成され、扉板１２をスライドさせる際に該扉板１２の下面（扉閉鎖時の後面）に当接することで扉板１２を水平状態に保つと共に扉板１２の滑りをよくする効果がある。また、該扉板支持部材１６によって扉板１２を支持することにより、扉板１２をスライドさせる際に扉板１２の下面がレールの底辺１０ｃとこすれたり（図４(a)）、扉を閉鎖する際に、扉板１２が十分に引き出される前に扉板１２が下方に回動し、扉板１２の後端（扉閉鎖時の上端）がレールの上辺１０ａに接触したり（図４(b)）するのを防ぐことができる。なお、これらの横ブレ防止部材１５及び扉板支持部材１６は樹脂等によって形成することが望ましい。
【００２４】
本実施例の着脱式跳ね上げ収納扉機構の組み立て及びスチール棚への取り付けは次のようにして行う。まず、図５(a)に示すように、一対のレール１０を開口部が共に内側を向くように、平行に配置する。次に、扉板１２のローラ１３をローラ取り付け部１１ａからガイドスリット１１に挿入し、両レール１０を棚板２４下面の左右両側にネジ１７により固定する。なお、棚板２４下面の側縁部には図２(a)に示すような折り返し部２６が設けられており、レール１０はこの折り返し部２６に取り付けられる。その際、レール１０と棚板２４の間にL字状のワッシャ１８を介挿し、棚板２４側に納めておく。
【００２５】
こうして扉板１２を取り付けた棚板２４を、スチール棚の本体に取り付ける。スチール棚本体は、図６(a)に示すように、スチール製鋼板から成る側面板２０と2本の支柱２１から成る一対の側面板ユニットの間にＸ字状に交差した2本のクロスバー２２が固定された構成を有するものである。なお、クロスバーの代わりに、板材（バックパネル）を使用し、両側面板ユニットを1枚又は複数枚のバックパネルで固定するようにしてもよい。複数枚のバックパネルを使用する場合の態様としては、例えば、上記側面板ユニット間の間隔と略同一の幅及び該側面板ユニットの約半分の高さを有するバックパネルを2枚使用するものや、幅及び高さがそれぞれ両側面板ユニット間の間隔及び上下棚板間の間隔と略同一なバックパネルを使用し、棚の各段ごとにバックパネルを取り付けるもの等が考えられる。
【００２６】
前記側面板ユニットには所定の高さにおいて、両支柱２１の間にサイドバー２３が固定されており、このサイドバー２３に、図６(b)に示すように、棚板２４の側辺に固定した2個のフック２５を掛けることにより、棚板２４を両側面板ユニットの間に掛け渡す。その後、図５(b)に示すように、左右のL字状ワッシャ１８を回転させて棚板２４の外側に出し、サイドバー２３の下に突出させる。これにより、棚板２４はフック２５とL字状ワッシャ１８によりサイドバー２３を上下から挟むことになるため、扉を開閉する際にも棚板２４（特にその後端）は上下に動くことなく固定される。
【００２７】
更に、レール１０のガイドスリット１１の後端に、ゴムから成るローラ外れ防止部材３０が取り付けられる。ローラ外れ防止部材３０は、図５(c)に示すようなスリットを有するゴム製の部材であり、該スリットをガイドスリット１１の後縁と係合させることでレール１０に取り付けられる。このローラ外れ防止部材３０は、ローラ取り付け部１１ａの一部を塞ぐことでレール１０からローラ１３が外れるのを防止すると共に、扉収納時にローラ１３がガイドスリット１１後端と当接することによる衝撃や音を緩和する効果を有する。
【００２８】
以上により、図７に示すように、跳ね上げ式収納扉付きのスチール棚が完成する。扉が開放されているときは、図７の上段に示すように、扉板１２は上棚板２４の直下に収納されており、扉を閉めるときは、把手１４を持って扉を手前に（棚板２４に平行に）引き出す。このとき、ローラ１３がレール１０のガイドスリット１１に沿って走行するが、図２(a)に示すように、ローラ１３の溝１３ａがガイドスリット１１の上縁及び下縁と係合しているために、ローラ１３の左右の動きが規制される。更に、横ブレ防止部材１５によってレール１０の内側面と扉板１２の側面の間の隙間が塞がれるため、扉板１２の左右の動きが規制される。このため、把手１４のどの部分を把持しても扉板１２がガタつくことがなく、スムーズに引き出すことができる。またこのとき、レール１０の底辺１０ｃに設けた扉板支持部材が、扉板１２の傾斜を防止すると共に扉板１２を滑りやすくするため、小さな力でも容易に扉をスライドさせることができる。
【００２９】
扉板１２が一杯まで引き出されると、ローラ１３の回転軸を中心として扉板１２が下方に回動し、上棚板２４下方の空間の前面を覆う。扉板１２が略垂直状態になると扉板１２に設けられた把手１４が下棚板２４の前面と当接し、扉板１２の回動が止められる。なお、下棚板２４前面の把手１４と当接する箇所には、扉を閉めるときの衝撃や音を和らげるために、ゴム等から成るクッション３１が貼付されている。
【００３０】
また、ローラ１３の回転軸は、図２(a)に示すように、扉板１２の上端両側面のやや後ろ寄り（図２(a)では下寄り）に設けられており、更に、扉板１２の重心はその前面に設けられた把手１４によって扉板１２の中心よりも前方寄りに位置しているため、扉を閉めた状態では、扉板１２に後ろ方向（棚の内側方向）のモーメントが作用する。このため、把手１４が下棚板２４ｂの前面に付勢された状態となり、振動等による扉板１２の揺動が防止される。
【００３１】
更に、レール底辺１０ｃの前端部分には下方に向かって略垂直に折り曲げられた部分（折曲部１０ｄ）が設けられており、扉を閉鎖する際に扉板１２の後面と該折曲部１０ｄの前面が当接することにより、上記把手１４と同様に、扉板１２の回動を停止させる役割を果たす。
【００３２】
一方、扉を開く際には、把手１４を持って扉板１２を棚板２４とほぼ平行になるまで上方に回動させてから、扉板１２を後方に押し込む。このときも扉を引き出すときと同様に、ローラ１３の溝１３ａとレール１０のガイドスリット１１、横ブレ防止部材１５、及び扉板支持部材１６の働きにより、扉板１２を円滑且つ容易にスライドさせることができる。
【００３３】
なお、上記のように、レール１０はネジ１７によって上棚板２４ａに固定されるものであるため、棚板に対し、必要に応じて容易に着脱することができる。そのため、例えば、2枚の側面板と上下2枚の棚板とによって囲まれた空間を複数有する棚に対して、該複数の空間の一部のみに扉を設けるなど、使用目的等に応じてユーザが自由にレイアウトすることができる。また、このとき、図８に示すように、上記複数の空間に対し、その用途等に応じて、少なくとも扉板１２の色が異なる複数種類の着脱式跳ね上げ収納扉機構を取り付けるようにすることが望ましい。なお、このような場合には、上記扉板の配色を、色弱者にも区別が容易な色の組み合わせ（例えば、青色と黄緑色等）とするとより望ましい。
【００３４】
以上、実施例を用いて本考案を実施するための最良の形態について説明したが、本考案はこれに限定されるものではなく、本考案の範囲内で種々の変更が許容されるものである。例えば、図９に示すように、ガイドスリット１１の前端部を下方に傾斜させると共に、該ガイドスリット１１の後端の下縁に切欠状のローラ受け部１１ｂを設けるようにしてもよい。これにより、扉板を手前に引き出した際に扉板をスムーズに回動させることができると共に、扉板を奥に押し込んだ際に扉板をロックして不用意な扉の閉鎖を防止することができる。また、図１０に示すように、扉板７０の前面下部に開口部が上向きになるように取り付けられた断面コの字型の把手７１を設けると共に、扉板７０の前面に両端部を扉板７０に固定されたゴム等の弾性材から成るバンド７２や金属等の非弾性材から成るバーを設けることにより、扉板７０の前面に雑誌やパンフレット等７３をディスプレイできるようにしてもよい。
【図面の簡単な説明】
【００３５】
【図１】本考案の一実施例に係る着脱式跳ね上げ収納扉機構を棚板に取り付けた状態の側面図であり、(a)は扉を開放した状態を示し、(b)は扉を閉鎖した状態を示す。
【図２】同実施例の着脱式跳ね上げ収納扉機構を棚板に取り付けた状態におけるローラ周辺部分を示す正面図であって、(a)は扉解放時における一部断面図であり、(b)は扉閉鎖時における平面図である。
【図３】同実施例に係る着脱式跳ね上げ収納扉機構のレールの前端部を示す斜視図。
【図４】扉板支持部材の働きを説明する図であり、(a)及び(b)は扉板支持部材を設けなかった場合のレール及び扉板の側面図であり、(c)は扉板支持部材を設けた場合のレール及び扉板の側面図である。
【図５】同実施例に係る着脱式跳ね上げ収納扉機構の組み立て及び取り付け方法を説明する図であり、(a)は斜視図、(b)はL字状ワッシャの説明図、(c)はローラ外れ防止部材の斜視図である。
【図６】同実施例に係る跳ね上げ式収納扉を取り付けるスチール棚を示す図であり、(a)は棚板２４を取り付ける前の状態を示す斜視図であり、(b)は側面板ユニットと棚板２４の関係を示す拡大平面図である。
【図７】同実施例に係る跳ね上げ式収納扉を取り付けたスチール棚を示す斜視図。
【図８】色の異なる複数の着脱式跳ね上げ収納扉機構を取り付けたスチール棚を示す正面図。
【図９】本考案の着脱式跳ね上げ収納扉機構の別の実施例に係るガイドスリットの形状を示す図。
【図１０】本考案の着脱式跳ね上げ収納扉機構の別の実施例を示す図であり、(a)は扉板の正面図、(b)は扉板の断面図である。
【符号の説明】
【００３６】
１０…レール
１１…ガイドスリット
１１ａ…ローラ取り付け部
１２、７０…扉板
１３…ローラ
１３ａ…溝
１４、７１…把手
１５…横ブレ防止部材
１６…扉板支持部材
１７…ネジ
１８…L字状ワッシャ
２０…側面板
２１…支柱
２２…クロスバー
２３…サイドバー
２４…棚板
２４ａ…上棚板
２４ｂ…下棚板
２５…フック
３０…ローラ外れ防止部材
３１…クッション
【図１】
0003115333.tif 000003
【図２】
0003115333.tif 000004
【図３】
0003115333.tif 000005
【図４】
0003115333.tif 000006
【図５】
0003115333.tif 000007
【図６】
0003115333.tif 000008
【図７】
0003115333.tif 000009
【図８】
0003115333.tif 000010
【図９】
0003115333.tif 000011
【図１０】
0003115333.tif 000012